(57)【特許請求の範囲】
【請求項１】
上部に開口が形成された弁箱と、
前記弁箱の側部に設けられ、上下方向に沿って延びる貫通孔が形成された支持部と、
前記弁箱の上部に設置されていて第一の挿入孔が形成された蓋体と、
前記支持部の前記貫通孔及び前記蓋体の前記第一の挿入孔に挿通されたボルト軸と、
前記ボルト軸の外周面に設けられ、前記蓋体の前記第一の挿入孔に挿通可能な第一の突部と、
前記蓋体の上面に形成されていて前記第一の突部が係合可能な凹部と、
前記ボルト軸に螺合し、前記支持部の下面に当接するナットと、
を備え、
前記第一の突部は、前記ボルト軸とともに回転することで、前記蓋体の凹部に係止して前記弁箱に前記蓋体を固定する固定状態と、前記蓋体の前記第一の挿入孔に挿通可能な解除状態と、に切替え可能であることを特徴とする空気弁。
【請求項２】
前記第一の挿入孔は、前記蓋体の側縁部を開口した切欠き孔であることを特徴とする請求項１に記載の空気弁。
【請求項３】
上部に開口が形成された弁箱と、
前記弁箱の側部に設けられ、上下方向に沿って延びる貫通孔が形成された支持部と、
前記弁箱の上部に設置されていて第一の挿入孔が形成された蓋体と、
前記支持部の前記貫通孔及び前記蓋体の前記第一の挿入孔に挿通されたボルト軸と、
前記ボルト軸の外周面に設けられ、前記蓋体の前記第一の挿入孔に挿通可能な第一の突部と、
前記蓋体の上部を覆い、第二の挿入孔が形成されたカバーと、
前記ボルト軸の外周面に設けられ、前記カバーの前記第二の挿入孔に挿通可能な第二の突部と、
前記ボルト軸に螺合し、前記支持部の下面に当接するナットと、
を備え、
前記第一の突部は、前記ボルト軸とともに回転することで、前記蓋体に係止して前記弁箱に前記蓋体を固定する固定状態と、前記蓋体の前記第一の挿入孔に挿通可能な解除状態と、に切替え可能であり、
前記第二の突部は、前記第一の突部が前記固定状態であるときに、前記カバーに係止して前記弁箱に前記カバーを固定し、前記第一の突部が前記解除状態であるときに、前記カバーの前記第二の挿入孔に挿通可能であることを特徴とする空気弁。
【発明の詳細な説明】
【技術分野】
【０００１】
本発明は、空気弁に関する。
【背景技術】
【０００２】
従来、水等の流体が流れる管路等に設けられ、管路内の空気を排出したり吸入したりする空気弁があり、特許文献１に記載されたものが知られている。
【０００３】
特許文献１の空気弁は、弁箱の上部開口に大空気孔を形成した蓋体が設置され、弁箱内には、大空気孔を開閉するための遊動弁体やフロート弁体等が配置されている。
弁箱及び蓋体には、挿通孔がそれぞれ形成されており、これらの挿通孔にボルト（ボルト軸）を挿通し、このボルトの雄ネジ部にナットを螺合させて、弁箱に蓋体を取付けている。
【０００４】
このように構成された空気弁については、ボルトからナットを取外し、弁箱及び蓋体の挿通孔からボルトを取外す。そして、弁箱から蓋体を取外し、弁箱内の遊動弁体やフロート弁体等の保守（メンテナンス）や修理を行っている。
【先行技術文献】
【特許文献】
【０００５】
【特許文献１】特開２０１４−１５９８２０号公報
【発明の概要】
【発明が解決しようとする課題】
【０００６】
しかしながら、特許文献１の空気弁において、保守等を行うには、弁箱からボルト及びナットを取外す必要があり、作業中に、取外したボルト又はナットが空気弁や手元から落ちる可能性がある。この場合には、落ちたボルト又はナットを探す時間が必要になり、作業に長時間を要する。また、地下空間や橋梁等、空気弁の設置場所よっては、落ちたボルト又はナットは探せないため、新たなボルト又はナットを用意する必要がある。
【０００７】
本発明は、このような問題点に鑑みてなされたものであって、弁箱に蓋体を取付けているボルト軸及びナットを弁箱から取外さずに弁箱から蓋体を取外すことができる空気弁を提供することを目的とする。
【課題を解決するための手段】
【０００８】
上記課題を解決するために、この発明は以下の手段を提案している。
本発明の空気弁は、上部に開口が形成された弁箱と、前記弁箱の側部に設けられ、上下方向に沿って延びる貫通孔が形成された支持部と、前記弁箱の上部に設置されていて第一の挿入孔が形成された蓋体と、前記支持部の前記貫通孔及び前記蓋体の前記第一の挿入孔に挿通されたボルト軸と、前記ボルト軸の外周面に設けられ、前記蓋体の前記第一の挿入孔に挿通可能な第一の突部と、前記蓋体の上面に形成されていて前記第一の突部が係合可能な凹部と、前記ボルト軸に螺合し、前記支持部の下面に当接するナットと、を備え、前記第一の突部は、前記ボルト軸とともに回転することで、前記蓋体の凹部に係止して前記弁箱に前記蓋体を固定する固定状態と、前記蓋体の前記第一の挿入孔に挿通可能な解除状態と、に切替え可能であることを特徴としている。
【０００９】
この発明によれば、第一の突部を固定状態にすると、ナットと第一の突部とで挟み込んで弁箱に蓋体を固定する。この状態から、ボルト軸をその軸線周りに回転させて、第一の突部を蓋体の第一の挿入孔に挿通可能な解除状態にする。蓋体の第一の挿入孔をボルト軸及び第一の突部が通ることで、弁箱から蓋体が取外される。このとき、ボルト軸は支持部の貫通孔に挿通され、ナットはボルト軸に螺合していて、弁箱から取外されていない。このため、弁箱からボルト軸及びナットを取外さずに、弁箱から蓋体を取外すことができる。
【００１０】
しかも、蓋体の凹部に係合した第一の突部が凹部から外れにくくなる。このため、使用者が意図せずに凹部から第一の突部が外れて、弁箱から蓋体が外れるのを抑制することができる。
【００１１】
また、上記の空気弁において、前記第一の挿入孔は、前記蓋体の側縁部を開口した切欠き孔としてもよい。
この発明によれば、第一の挿入孔の側縁部側に壁が無く、第一の挿入孔内を目視により確認しやすくなるため、第一の挿入孔に第一の突部を合わせ易くすることができる。
【００１２】
また、本発明の空気弁は、上部に開口が形成された弁箱と、前記弁箱の側部に設けられ、上下方向に沿って延びる貫通孔が形成された支持部と、前記弁箱の上部に設置されていて第一の挿入孔が形成された蓋体と、前記支持部の前記貫通孔及び前記蓋体の前記第一の挿入孔に挿通されたボルト軸と、前記ボルト軸の外周面に設けられ、前記蓋体の前記第一の挿入孔に挿通可能な第一の突部と、前記蓋体の上部を覆い、第二の挿入孔が形成されたカバーと、前記ボルト軸の外周面に設けられ、前記カバーの前記第二の挿入孔に挿通可能な第二の突部と、前記ボルト軸に螺合し、前記支持部の下面に当接するナットと、を備え、前記第一の突部は、前記ボルト軸とともに回転することで、前記蓋体に係止して前記弁箱に前記蓋体を固定する固定状態と、前記蓋体の前記第一の挿入孔に挿通可能な解除状態と、に切替え可能であり、前記第二の突部は、前記第一の突部が前記固定状態であるときに、前記カバーに係止して前記弁箱に前記カバーを固定し、前記第一の突部が前記解除状態であるときに、前記カバーの前記第二の挿入孔に挿通可能であることを特徴とする。
この発明によれば、第一の突部を固定状態にすると、弁箱に蓋体が固定された状態で、さらに第二の突部により弁箱にカバーが固定される。この状態から、ボルト軸をその軸線周りに回転させて、第一の突部を解除状態にすると、第二の突部が蓋体の第二の挿入孔に挿通可能な向きになる。カバーの第二の挿入孔をボルト軸及び第二の突部が通ることで、弁箱から蓋体が取外される。
したがって、弁箱に蓋体及びカバーを固定した状態から、ボルト軸の向きを調節することで、弁箱から蓋体及びカバーを一度に取外すことができる。
【発明の効果】
【００１３】
本発明の空気弁によれば、弁箱に蓋体を取付けているボルト軸及びナットを弁箱から取外さずに弁箱から蓋体を取外すことができる。
【図面の簡単な説明】
【００１４】
【図１】本発明の第１実施形態の空気弁の側面の断面図である。
【図２】同空気弁の一部を破断した平面図である。
【図３】図１のＩＩＩ−ＩＩＩ線に相当する断面図である。
【図４】同空気弁の蓋体及びカバーの一部を破断した要部の平面図である。
【図５】同空気弁を保守、点検するときの手順を示す側面の断面図である。
【図６】本発明の第２実施形態の空気弁の側面の断面図である。
【図７】同空気弁の一部を破断した平面図である。
【００１５】
（第１実施形態）
以下、本発明に係る空気弁の第１実施形態を、図１から５を参照しながら説明する。
図１に示すように、本実施形態の空気弁１は、例えば上水道等の水（流体）を流す図示しない管路に直交させて設けた立ち上がり管（分岐管）に、副弁（補修弁）を介して設けられており、副弁の上端部Ｐ１に連結させて用いられる。
【００１６】
図１及び図２に示すように、本空気弁１は、上部に上部開口（開口）１０ａが形成された弁箱１０と、弁箱１０の側部に設けられ、上下方向Ｚに沿って延びる貫通孔１１ａが形成された複数の支持部１１と、弁箱１０の上部に設置されていて切欠き孔（第一の挿入孔）１２ａが形成された蓋体１２と、支持部１１の貫通孔１１ａ及び蓋体１２の切欠き孔１２ａに挿通されたボルト軸１３と、ボルト軸１３の外周面に設けられた一対の第一の突部１４と、ボルト軸１３に螺合し、支持部１１の下面に当接するナット１５と、を備えている。
なお、図１以下では支持部１１を１つのみ示している。
【００１７】
弁箱１０は、前述の上部開口１０ａ及び下部開口１０ｂが形成された円筒状に形成されている。弁箱１０は、上部の外径よりも下部の外径の方が小さい。
弁箱１０の外周面の下部には、フランジ部１０ｃが設けられている。フランジ部１０ｃには、上下方向Ｚに貫通する取付け孔１０ｄが形成されている。
支持部１１は、弁箱１０の側部、すなわち弁箱１０の外周面の上端部に設けられている。本実施形態では、弁箱１０の軸線Ｃ１周りに４つの支持部１１が等角度ごとに配置されている。
なお、弁箱１０に設けられる支持部１１の数に制限はなく、１つから３つでもよいし、４つ以上でもよい。支持部１１に対応付けて設けられるボルト軸１３、ナット１５、後述するカバー３５の挿入孔３５ａ、締結ナット３６の数についても同様である。
【００１８】
蓋体１２は、図２に示す平面視において正方形となる板状に形成されている。
図３及び図４に示すように、蓋体１２の各隅部には、前述の切欠き孔１２ａが形成されている。切欠き孔１２ａは、蓋体１２を上下方向Ｚに貫通するとともに、蓋体１２の側縁部１２ｂに開口している。図４に示す平面視において、切欠き孔１２ａは、非円形であって、弁箱１０の径方向を長辺とする矩形状である。
図３及び図４に示すように、蓋体１２の上面１２ｃには、一対の凹部１２ｄが形成されている。
蓋体１２の上面１２ｃにおいて、凹部１２ｄは切欠き孔１２ａの長手方向の中間部から切欠き孔１２ａに略直交する方向にそれぞれ延びている。
図１に示すように、蓋体１２の中央部には、大空気孔１２ｅが形成されている。蓋体１２の下面には、大空気孔１２ｅを囲うように封止部材１８が取付けられている。蓋体１２は、上部開口１０ａを覆っている。
【００１９】
ボルト軸１３は、通しボルトで、いわゆる十字穴等が形成された頭部を有さないものである。ボルト軸１３は、図３に示すように、大径部と、大径部よりも上方に配置され大径部よりも外径の小さい小径部とを有している（大径部及び小径部の符号は省略）。大径部と小径部との間には、段部１３ｃが形成されている。
大径部の下部の外周面には、第一の雌ネジ部１３ｄが形成されている。小径部の外周面には、第二の雌ネジ部１３ｅが形成されている。第一の雌ネジ部１３ｄには、ナット１５が螺合している。第一の雌ネジ部１３ｄにおけるナット１５が螺合している部分よりも下方の部分には、Ｅ形止め輪等の規制部材１９が固定されている。
規制部材１９により、ナット１５は第一の雌ネジ部１３ｄ上で規制部材１９よりも下方に移動できず、第一の雌ネジ部１３ｄからナット１５を取外すことはできない。
【００２０】
図２及び図３に示すように、大径部の上部の外周面には、前述の一対の第一の突部１４が設けられている。第一の突部１４は、ボルト軸１３の軸線Ｃ２に直交する方向を軸線とする円柱状に形成され、ボルト軸１３を挟むように配置されている。
第一の突部１４は、蓋体１２の凹部１２ｄに係合している。この凹部１２ｄに係合している第一の突部１４の状態が、固定状態である。第一の突部１４が固定状態であるときに、第一の突部１４はナット１５とともに支持部１１及び蓋体１２を上下方向Ｚに締め付ける（挟持する）ことで、弁箱１０に蓋体１２を固定する。このようにして、ボルト軸１３及びナット１５は、弁箱１０に蓋体１２を取付けている。
【００２１】
ボルト軸１３は、一対の第一の突部１４とともに、貫通孔１１ａ及び切欠き孔１２ａ内でボルト軸１３の軸線Ｃ２周りに（軸線Ｃ２を中心として）回転することができる。図３の固定状態の第一の突部１４が軸線Ｃ２周りに９０°回転して図２に示す位置Ｑ１に配置されたときに、第一の突部１４は、切欠き孔１２ａに沿うように配置され、蓋体１２の切欠き孔１２ａに上下方向Ｚに挿通可能となる。切欠き孔１２ａに挿通可能となっている第一の突部１４の状態が、解除状態である。
ナット１５を緩めた後で、ボルト軸１３及び一対の第一の突部１４を軸線Ｃ２周りに回転することで、第一の突部１４を固定状態と解除状態とに切替えることができる。
なお、第一の突部１４は支持部１１の貫通孔１１ａを挿通することはできず、支持部１１の上面に係止される。
【００２２】
図１に示すように、弁箱１０内には、フロート弁体ガイド２５、フロート弁体２６、及び遊動弁体２７が配置されている。
フロート弁体ガイド２５は、有底筒状に形成され、上端の開口部（符号省略）が弁箱１０の上部開口１０ａに連通している。フロート弁体ガイド２５には、水等を通過させるためのスリット２５ａや小孔（符号省略）が形成されている。
フロート弁体２６は球状に形成され、フロート弁体ガイド２５内に配置されており、弁箱１０内が水で充填されているときに、水による浮力によって浮くことができる。
【００２３】
遊動弁体２７は、中央が隆起する山形に形成され、中央の下部には、小空気孔弁座２８が嵌合している。小空気孔弁座２８の中央には、小空気孔２８ａが形成され、上部に装着された弁座押え部材２９により、遊動弁体２７に小空気孔弁座２８が取付けられている。
【００２４】
本実施形態では、図１及び図２に示すように、空気弁１は、蓋体１２の上部を覆い複数の挿入孔３５ａが形成されたカバー３５と、ボルト軸１３の第二の雌ネジ部１３ｅに螺合する締結ナット３６とを備えている。
カバー３５は、中央部が上方に向かって凸となるように湾曲した円板状に形成されており、各挿入孔３５ａには、ボルト軸１３の小径部が挿通されている。カバー３５は、ボルト軸１３の段部１３ｃに係止しており、締結ナット３６は、カバー３５の上面に当接している。第二の雌ネジ部１３ｅ上で締結ナット３６を締め付けることで、弁箱１０にカバー３５が固定されている。
【００２５】
次に、以上のように構成された空気弁１の作用の一例について説明する。
図１に示すように、副弁の上端部Ｐ１には、取付け孔Ｐ３が形成されたフランジ部Ｐ２が設けられている。空気弁１は、副弁の上端部Ｐ１のフランジ部Ｐ２と弁箱１０のフランジ部１０ｃとを対向（当接）させた状態で、取付け孔Ｐ３、１０ｄに図示しないボルト等の締結部材を挿通させることで、副弁に連結される。
【００２６】
管路内の空気は、立ち上がり管、副弁を介して空気弁１に流れ、空気弁１の弁箱１０内の空気は、矢印Ａ１のように弁箱１０とフロート弁体ガイド２５との間を流れる。矢印Ａ２のように、フロート弁体ガイド２５のスリット２５ａ、蓋体１２の大空気孔１２ｅ、及び蓋体１２とカバー３５との隙間を通って、外部に排出される。
【００２７】
空気弁１の弁箱１０内に水が流入すると、フロート弁体ガイド２５に形成された小孔等を通して、フロート弁体ガイド２５内に水が流入する。水による浮力により、フロート弁体２６及び遊動弁体２７が上方に移動する。遊動弁体２７が図１に示す位置Ｑ３に移動し、蓋体１２の下面に遊動弁体２７の上面が接触すると、蓋体１２の大空気孔１２ｅを遊動弁体２７が塞ぐ。蓋体１２の大空気孔１２ｅ内を、水が流れなくなる。このように、遊動弁体２７は、蓋体１２の大空気孔１２ｅを水が流れる開いた状態にしたり、大空気孔１２ｅを水が流れない閉じた状態にしたりすることができる。
フロート弁体２６が位置Ｑ４に移動し、小空気孔弁座２８の小空気孔２８ａをフロート弁体２６が塞ぐ。小空気孔弁座２８の小空気孔２８ａ内を、水が流れなくなる。
【００２８】
次に、空気弁１を保守、点検（以下、保守等と称する）するときについて説明する。
先ず、副弁を閉状態にして、管路から空気弁１への水及び空気を遮断する。
空気弁１の各ボルト軸１３から締結ナット３６を取外し、カバー３５を上方に移動させ、カバー３５の挿入孔３５ａからボルト軸１３を抜く。こうして、弁箱１０からカバー３５を取外す。
次に、各ボルト軸１３に螺合しているナット１５をボルト軸１３周りに回転させて緩める。ボルト軸１３には規制部材１９が固定されているので、ナット１５を回し過ぎることはなく、ボルト軸１３からナット１５が外れることを防止できる。
【００２９】
ここで、ボルト軸１３の第一の突部１４は、蓋体１２の凹部１２ｄに係合して固定状態になっている。第一の突部１４は凹部１２ｄに位置することによりボルト軸１３が回転しづらくなっており、これにより第一の突部１４が蓋体１２から不用意に外れるのを抑制できる。
凹部１２ｄに係合して固定状態になっている第一の突部１４を、ボルト軸１３とともに軸線Ｃ２周りに回転させ、第一の突部１４を解除状態にする。ボルト軸１３及び一対の第一の突部１４を下方に移動させ、切欠き孔１２ａに一対の第一の突部１４を挿通させる。切欠き孔１２ａは蓋体１２の側縁部１２ｂに開口しているため、切欠き孔１２ａの側縁部１２ｂ側に壁が無く、側縁部１２ｂ側で第一の突部１４が切欠き孔１２ａに引っ掛からない。切欠き孔１２ａ内を、目視により確認しやすくなる。
【００３０】
図５に示すように、切欠き孔１２ａを挿通した第一の突部１４は支持部１１の上面に係止される。このため、支持部１１からボルト軸１３が外れない。弁箱１０から蓋体１２を取外し、遊動弁体２７やフロート弁体２６の保守等を行う。支持部１１からボルト軸１３が外れなく、ナット１５はボルト軸１３に螺合している。したがって、保守等の作業中にボルト軸１３及びナット１５が空気弁１から落ちることはない。
第一の突部１４を固定状態から解除状態にするだけで弁箱１０から蓋体１２を簡単に取外せるため、空気弁１のメンテナンス性が向上する。
【００３１】
保守等が終了したら、前述の手順とは逆の手順で空気弁１を組み立てる。
すなわち、弁箱１０の上部に蓋体１２を置く。ボルト軸１３を上方に移動させ、切欠き孔１２ａに一対の第一の突部１４を挿通させる。第一の突部１４を軸線Ｃ２周りに回転させ、第一の突部１４を解除状態から固定状態にする。ナット１５を締め付けて、弁箱１０に蓋体１２を取付ける。
カバー３５の挿入孔３５ａにボルト軸１３を挿通し、ボルト軸１３の段部１３ｃにカバー３５を係止させる。ボルト軸１３に締結ナット３６を螺合させ、弁箱１０にカバー３５を固定する。
【００３２】
以上説明したように、本実施形態の空気弁１によれば、弁箱１０から蓋体１２を取外してもボルト軸１３は第一の突部１４により支持部１１の貫通孔１１ａに挿通され、ナット１５はボルト軸１３に螺合していて、弁箱１０から取外されていない。このため、弁箱１０からボルト軸１３及びナット１５を取外さずに、弁箱１０から蓋体１２を取外すことができる。
【００３３】
また、蓋体１２に凹部１２ｄが形成されているため、凹部１２ｄに係合した第一の突部１４が凹部１２ｄから外れにくくなる。したがって、不用意に凹部１２ｄから第一の突部１４が外れて、弁箱１０から蓋体１２が外れるのを抑制することができる。
そして、切欠き孔１２ａは蓋体１２の側縁部１２ｂに開口しているため、切欠き孔１２ａの側縁部１２ｂ側に壁が無く、切欠き孔１２ａ内を目視により確認しやすくなる。したがって、切欠き孔１２ａを第一の突部１４が通りやすくすることができる。
【００３４】
（第２実施形態）
次に、本発明の第２実施形態について図６及び７を参照しながら説明するが、前記実施形態と同一の部位には同一の符号を付してその説明は省略し、異なる点についてのみ説明する。
図６及び図７に示すように、本実施形態の空気弁２は、第１実施形態の空気弁１のボルト軸１３の小径部に第二の雌ネジ部１３ｅが形成されていなく、締結ナット３６に代えてボルト軸１３に一対の第二の突部４０を備えている。
本実施形態では、カバー３５に挿入孔３５ａに代えて、第二の挿入孔３５ｂが形成されている。第二の挿入孔３５ｂは、例えば切欠き孔１２ａにほぼ平行（弁箱１０の径方向）に延びている。
【００３５】
第二の突部４０は、第一の突部１４よりも上方の、ボルト軸１３の小径部の外周面に設けられている。一対の第二の突部４０は、ボルト軸１３を挟むように配置されている。第二の突部４０は、ボルト軸１３から第一の突部１４が延びる方向に延びている。
第二の突部４０は、第一の突部１４が凹部１２ｄに係合した固定状態であるときに、カバー３５に係止する。ボルト軸１３の段部１３ｃと第二の突部４０とにより挟まれることで、弁箱１０にカバー３５が固定される。
一方で、第一の突部１４が図７に示す位置Ｑ１に配置されて解除状態であるときに、第二の突部４０は、図７に示す位置Ｑ６すなわち第二の挿入孔３５ｂに沿うように配置され、カバー３５の第二の挿入孔３５ｂに挿通可能となる。このとき、第二の突部４０は、蓋体１２の切欠き孔１２ａにも挿通可能となる。
【００３６】
次に、以上のように構成された空気弁２を保守等するときの手順について説明する。
第一の突部１４が固定状態であると、第二の突部４０がカバー３５に係止していて、弁箱１０に蓋体１２及びカバー３５が固定されている。この状態から、ナット１５を緩める。ボルト軸１３とともに第一の突部１４及び第二の突部４０を軸線Ｃ２周りに回転させ、第一の突部１４を解除状態にする。第二の突部４０はカバー３５の第二の挿入孔３５ｂに挿通可能となるため、第二の挿入孔３５ｂに第二の突部４０を通して、弁箱１０からカバー３５を外す。
蓋体１２の切欠き孔１２ａには第一の突部１４及び第二の突部４０が挿通可能であるため、切欠き孔１２ａに第一の突部１４及び第二の突部４０を通して、弁箱１０から蓋体１２を外す。
【００３７】
以上説明したように、本実施形態の空気弁２によれば、弁箱１０に蓋体１２を取付けているボルト軸１３及びナット１５を弁箱１０から取外さずに弁箱１０から蓋体１２を取外すことができる。
ボルト軸１３に第二の突部４０が形成されていることで、弁箱１０に蓋体１２及びカバー３５を固定した状態から、ボルト軸１３の向きを調節することで、弁箱１０から蓋体１２及びカバー３５を一度に取外すことができる。また、第二の突部４０の形状を板状に形成しても良い。これにより、ボルト軸１３をつまみやすく、回転し易くできる。
【００３８】
以上、本発明の第１実施形態及び第２実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記第１実施形態及び第２実施形態では、ボルト軸１３に一対の第一の突部１４が設けられるとしたが、ボルト軸１３に第一の突部１４が１つだけ設けられてもよい。この１つの第一の突部１４によっても、蓋体１２に第一の突部１４が係止した固定状態と、切欠き孔１２ａに第一の突部１４が挿通可能な解除状態とに切替え可能だからである。一対の第二の突部４０についても同様である。
【００３９】
蓋体１２に凹部１２ｄが形成されていなくてもよい。蓋体１２の上面と第一の突部１４との間の摩擦力が比較的大きい場合等には、ナット１５を締め付ければ、蓋体１２の上面に係止した第一の突部１４は蓋体１２に対して移動しにくいからである。
切欠き孔１２ａは、蓋体１２の側縁部１２ｂに開口していなくてもよい。この場合、切欠き孔１２ａは、上下方向Ｚに貫通する第一の挿入孔となる。このように構成されても、蓋体１２の第一の挿入孔を第一の突部１４が上下方向Ｚに挿通することができるからである。
また、第一の突部１４は上部から見ると一文字形状となっているが、十字形状や三角、四角等の多角形、あるいは星形形状であってもよく、それに対応した切欠き孔１２ａ（開口無し）を蓋体１２に形成すればよい。
【符号の説明】
【００４０】
１、２  空気弁
１０  弁箱
１０ａ  上部開口（開口）
１１  支持部
１１ａ  貫通孔
１２  蓋体
１２ａ  切欠き孔（第一の挿入孔）
１２ｂ  側縁部
１２ｃ  上面
１２ｄ  凹部
１３  ボルト軸
１４  第一の突部
１５  ナット
３５  カバー
３５ｂ  第二の挿入孔
４０  第二の突部
Ｚ    上下方向
【図１】
0006663702.tif 000002
【図２】
0006663702.tif 000003
【図３】
0006663702.tif 000004
【図４】
0006663702.tif 000005
【図５】
0006663702.tif 000006
【図６】
0006663702.tif 000007
【図７】
0006663702.tif 000008